(57)【要約】【課題】端子接続維持の確実性も相互絶縁の信頼性も同時に確立する。【解決手段】絶縁カバー２３の貫通孔２４に遊挿しうる直棒状の作用部５２の表裏面それぞれに、貫通孔への作用部の挿入時にジャック端子４０の雄嵌合部３１を変形させることなく雄嵌合部に沿って滑動する逃げ面５５と、貫通孔への作用部の挿入時にジャック端子４０の可撓部３２に沿って滑動しながら可撓部を曲げ変形させる傾斜面５４と、側壁５３，５６とを形成する。この拡隙工具５０を貫通孔に差し込んで可撓部同士の対向間隙を拡大することにより、ファストン端子１０の接続に先立ち、貫通孔の中でファストン端子の進入を妨げないよう且つロック機能を失わない程度にジャック端子について雄嵌合部３１の先方から係合部３３の位置をずらしておく。【選択図】        図１
2010140645.tif 000002
【特許請求の範囲】
【請求項１】
ファストン端子の雌嵌合部に嵌合しうる雄嵌合部とこの雄嵌合部に沿って延びた可撓部とこの可撓部にて前記雄嵌合部の先方に支持されていて前記雌嵌合部と前記雄嵌合部との嵌合時には前記雌嵌合部の係合段差に係合して前記ファストン端子の抜けを防止する係合部とを具備したジャック片を対向配置したジャック端子をベース板に複数植設したジャック板本体に対し絶縁カバーを装着して前記ジャック端子を前記絶縁カバーの貫通孔に収めたジャック板を対象にしてファストン端子接続に先立ち前記貫通孔の中で前記ジャック端子の前記係合部同士の対向間隙を拡大するのに用いるジャック端子拡隙工具であって、前記貫通孔に遊挿しうる直棒状の作用部の表裏面それぞれに、前記貫通孔への前記作用部の挿入時に前記雄嵌合部を変形させることなく前記雄嵌合部に沿って滑動する逃げ面と、前記貫通孔への前記作用部の挿入時に前記可撓部に沿って滑動しながら前記可撓部を曲げ変形させる傾斜面とが形成されていることを特徴とするジャック端子拡隙工具。
【請求項２】
前記逃げ面と前記傾斜面との外側部に側壁が形成されていることを特徴とする請求項１記載のジャック端子拡隙工具。
【請求項３】
ファストン端子の雌嵌合部に嵌合しうる雄嵌合部とこの雄嵌合部に沿って延びた可撓部とこの可撓部にて前記雄嵌合部の先方に支持されていて前記雌嵌合部と前記雄嵌合部との嵌合時には前記雌嵌合部の係合段差に係合して前記ファストン端子の抜けを防止する係合部とを具備したジャック片を対向配置したジャック端子をベース板に複数植設したジャック板本体に対し絶縁カバーを装着して前記ジャック端子を前記絶縁カバーの貫通孔に収めたジャック板を対象にして、ファストン端子接続に先立ち、請求項１又は請求項２に記載のジャック端子拡隙工具を用い、その作用部を前記貫通孔に差し込むことにより、前記貫通孔の中で前記ジャック端子の前記係合部同士の対向間隙を拡大することを特徴とするジャック端子拡隙方法。
【請求項４】
ファストン端子の雌嵌合部に嵌合しうる雄嵌合部とこの雄嵌合部に沿って延びた可撓部とこの可撓部にて前記雄嵌合部の先方に支持されていて前記雌嵌合部と前記雄嵌合部との嵌合時には前記雌嵌合部の係合段差に係合して前記ファストン端子の抜けを防止する係合部とを具備したジャック片を対向配置したジャック端子をベース板に複数植設したジャック板本体と、複数の貫通孔が形成されており前記ジャック板本体に装着されていて前記ジャック端子を一つずつ前記貫通孔に収めている絶縁カバーとを備えたジャック板であって、前記可撓部が曲げられたことにより前記係合部同士の対向間隙が前記雄嵌合部同士の対向間隙より広くなっていることを特徴とするジャック板。
【請求項５】
前記係合部同士の対向間隙が前記ファストン端子の前記雌嵌合部の厚さより広く、前記係合部の内側面が前記雄嵌合部の外側面から外へはみ出ている量が前記ファストン端子の板材の厚さより狭くなっていることを特徴とする請求項４記載のジャック板。
【発明の詳細な説明】
【技術分野】
【０００１】
この発明は、ファストン端子接続用ジャック端子の拡隙工具および拡隙方法に関し、詳しくは、絶縁カバーの貫通孔に収められたジャック端子の先端の係合部同士の対向間隙を拡大するジャック端子拡隙工具およびジャック端子拡隙方法に関する。
また、本発明は、複数のジャック端子を植設したジャック板にも関し、特に、絶縁カバーを装着してその貫通孔にジャック端子を一つずつ収めたジャック板に関する。そのようなジャック板としては、鉄道の運転保安設備のリレー架に装備されてファストン端子非接続側から多極リレーを着脱されるＥ形ジャック板（ロック機能付き）が典型例である。
【背景技術】
【０００２】
ジャック板や，ジャック端子，ファストン端子について、本願発明の課題提起に役立つ程度に、従来品を説明する。図５は、（ａ）がファストン端子１０の底面図、（ｂ）がファストン端子１０の斜視図、（ｃ）がジャック端子２２の斜視図、（ｄ）がジャック板２０の展開斜視図、（ｅ）がジャック板２０の斜視図、（ｆ）がジャック片３０の正面図、（ｇ）がジャック端子４０の底面図、（ｈ）がジャック端子４２の底面図である。
【０００３】
基本的なファストン端子１０は（図５（ａ），（ｂ），特許文献１参照）、金属等の電気良導体からなり、電線８を繋ぎ込む圧着部１４が一端部に形成され、他端部にはスリーブ状の雌嵌合部１１が形成されたものであり、その雌嵌合部１１にはジャック端子を抜き差し可能な中空１２が形成されており、雌嵌合部１１の圧着部１４寄り端部には中空１２端面に達する係合段差１３が形成されている。
基本的なジャック端子２２は（図５（ｃ）参照）、短冊状の電気良導体からなり、中空１２に差し込まれると雌嵌合部１１の弾性力によって嵌合状態・接続状態が維持され、強く引かれると雌嵌合部１１から抜けるようになっている。
【０００４】
従来のカバー付きジャック板２０は（図５（ｄ），（ｅ），特許文献２参照）、絶縁体からなるベース板２１に複数・多数のジャック端子２２を植設したジャック板本体に対し、そのジャック端子２２に対応した配置で複数・多数の貫通孔２４を形成した絶縁カバー２３を装着して、ジャック端子２２を貫通孔２４に一つずつ収めたものである。
このようなジャック板２０の場合、貫通孔２４の解放開口からファストン端子１０を差し込んでジャック端子２２に嵌合させることにより、絶縁カバー２３の無い場合と同様の容易さで、電線８を接続させることができる。
【０００５】
ファストン端子１０の抜け落ち防止のためロック機能付きジャック片３０やロック機能付きジャック端子４０，４２も開発されている（例えば特許文献１参照）。
ジャック片３０は（図５（ｆ）参照）、ジャック端子２２に相当する雄嵌合部３１に加えて、それと並走する弾性変形容易な可撓部３２と、雄嵌合部３１の先方に位置する係合部３３とを具えたものである。可撓部３２の基端部が雄嵌合部３１の基端部と繋がっており、その可撓部３２の先端部に係合部３３が形成されているので、片持ち梁のような可撓部３２によって支持された係合部３３は、横に（図５（ｆ）では紙面を貫く向きに）押されると容易に位置ずれするものとなっている。
【０００６】
ジャック端子４０は（図５（ｇ）参照）、二枚のジャック片３０の基端部・中間部（図では右側部分）に例えば連結部４１を挟んで相互固定する等のことで一体化したものであり、二枚のジャック片３０が一定の間隙を保って対向している。その状態では、一方のジャック片３０の雄嵌合部３１と他方のジャック片３０の可撓部３２とが向かい合い、その先方（図では左側部分）で、双方の係合部３３，３３が向かい合っている。その対向間隙Ｇは、ファストン端子１０の板材の厚さＥより広いが、雌嵌合部１１の厚さＦより狭いので、二個のファストン端子１０を稠密に接続することができる。
【０００７】
ジャック端子４２は（図５（ｈ）参照）、ジャック端子４０において対向する係合部３３を外側へ曲げて、そこの間隙をファストン端子１０の雌嵌合部１１の厚さＦより広くなるよう拡大したものである。
これらのジャック片３０，ジャック端子４０，ジャック端子４２は、何れにあっても、係合部３３を軽く押して横にずらしながらファストン端子１０の雌嵌合部１１を雄嵌合部３１に嵌合させると、係合部３３が係合段差１３に係合して、ファストン端子１０の抜け落ちが防止されるようになっている。
【０００８】
ところで、このようなロック機能付きジャック片３０，ロック機能付きジャック端子４０，ロック機能付きジャック端子４２をベース板２１に植設したジャック板には、絶縁カバー２３が装着されなかった（例えば特許文献２，３参照）。
ジャック端子４２の場合、ベース板２１でのジャック端子４２の配置と絶縁カバー２３での貫通孔２４の配置とが対応しているとは言え、先端で対向する係合部３３，３３が外に開いている多数のジャック端子４２を一斉に多数の貫通孔２４に差し込むのが困難だからである。
【０００９】
また、ジャック端子４０やジャック片３０の場合、ベース板２１に絶縁カバー２３を装着するのは比較的容易であるが、先にジャック３０，４０を貫通孔２４に収めてしまうと、その後にファストン端子１０の雌嵌合部１１で操作して係合部３３を横にずらすのが困難だからである。特に、係合部同士３３，３３の対向間隙Ｇの狭いジャック端子４０は、貫通孔２４の中でファストン端子１０をジャック端子４０に接続させるのが難しい。
そのため、ロック機能付きジャック端子では、ファストン端子１０との接続箇所を一つずつ絶縁チューブで囲うことで、相互絶縁がなされている（例えば特許文献３参照）。
【００１０】
【特許文献１】実開平６−４８１７４号公報
【特許文献２】実開平５−６６２９号公報
【特許文献３】特開平１１−２９７３９３号公報
【発明の開示】
【発明が解決しようとする課題】
【００１１】
もっとも、一つずつ絶縁チューブで囲う絶縁手法は、手間が掛かって作業能率が悪いばかりか、絶縁信頼性の確保も難しい。
このため、端子接続維持の確実性も相互絶縁の信頼性も同時に確立するには、係合部を曲げ加工していない真っ直ぐなロック機能付きジャック端子を複数・多数植設したベース板に対し、複数・多数の貫通孔を対応配置で形成した絶縁カバーを、予め装着しておくことが望まれる。
【００１２】
しかしながら、それには、上述したように貫通孔の中ではファストン端子がジャック端子の雄嵌合部より先に係合部に当接して嵌合接続が妨げられるという困難が伴うので、それを克服することが求められる。
そこで、絶縁カバーの貫通孔の中でファストン端子の進入を妨げないよう且つロック機能を失わない程度に貫通孔中のジャック端子について雄嵌合部の先方から係合部の位置をずらせる簡便な手法を案出することが技術的な課題となる。
【課題を解決するための手段】
【００１３】
本発明のジャック端子拡隙工具は（解決手段１）、このような課題を解決するために創案されたものであり、ファストン端子の雌嵌合部に嵌合しうる雄嵌合部とこの雄嵌合部に沿って延びた可撓部とこの可撓部にて前記雄嵌合部の先方に支持されていて前記雌嵌合部と前記雄嵌合部との嵌合時には前記雌嵌合部の係合段差に係合して前記ファストン端子の抜けを防止する係合部とを具備したジャック片を対向配置したジャック端子をベース板に複数植設したジャック板本体に対し絶縁カバーを装着して前記ジャック端子を前記絶縁カバーの貫通孔に収めたジャック板を対象にしてファストン端子接続に先立ち前記貫通孔の中で前記ジャック端子の前記係合部同士の対向間隙を拡大するのに用いるジャック端子拡隙工具であって、前記貫通孔に遊挿しうる直棒状の作用部の表裏面それぞれに、前記貫通孔への前記作用部の挿入時に前記雄嵌合部を変形させることなく前記雄嵌合部に沿って滑動する逃げ面と、前記貫通孔への前記作用部の挿入時に前記可撓部に沿って滑動しながら前記可撓部を曲げ変形させる傾斜面とが形成されていることを特徴とする。
【００１４】
また、本発明のジャック端子拡隙工具は（解決手段２）、上記解決手段１のジャック端子拡隙工具であって、前記逃げ面と前記傾斜面との外側部に側壁が形成されていることを特徴とする。
【００１５】
さらに、本発明のジャック端子拡隙方法は（解決手段３）、上記解決手段１，２のジャック端子拡隙工具を使用するジャック端子拡隙方法であり、具体的には、ファストン端子の雌嵌合部に嵌合しうる雄嵌合部とこの雄嵌合部に沿って延びた可撓部とこの可撓部にて前記雄嵌合部の先方に支持されていて前記雌嵌合部と前記雄嵌合部との嵌合時には前記雌嵌合部の係合段差に係合して前記ファストン端子の抜けを防止する係合部とを具備したジャック片を対向配置したジャック端子をベース板に複数植設したジャック板本体に対し絶縁カバーを装着して前記ジャック端子を前記絶縁カバーの貫通孔に収めたジャック板を対象にして、ファストン端子接続に先立ち、請求項１又は請求項２に記載のジャック端子拡隙工具を用い、その作用部を前記貫通孔に差し込むことにより、前記貫通孔の中で前記ジャック端子の前記係合部同士の対向間隙を拡大することを特徴とする。
【００１６】
また、本発明のジャック板は（解決手段４）、上記解決手段３のジャック端子拡隙方法を実施したことにより出来上がる結果物であり、具体的には、ファストン端子の雌嵌合部に嵌合しうる雄嵌合部とこの雄嵌合部に沿って延びた可撓部とこの可撓部にて前記雄嵌合部の先方に支持されていて前記雌嵌合部と前記雄嵌合部との嵌合時には前記雌嵌合部の係合段差に係合して前記ファストン端子の抜けを防止する係合部とを具備したジャック片を対向配置したジャック端子をベース板に複数植設したジャック板本体と、複数の貫通孔が形成されており前記ジャック板本体に装着されていて前記ジャック端子を一つずつ前記貫通孔に収めている絶縁カバーとを備えたジャック板であって、前記可撓部が曲げられたことにより前記係合部同士の対向間隙が前記雄嵌合部同士の対向間隙より広くなっていることを特徴とする。
【００１７】
また、本発明のジャック板は（解決手段５）、上記解決手段４のジャック板であって、前記係合部同士の対向間隙が前記ファストン端子の前記雌嵌合部の厚さより広く、前記係合部の内側面が前記雄嵌合部の外側面から外へはみ出ている量が前記ファストン端子の板材の厚さより狭くなっていることを特徴とする。
【発明の効果】
【００１８】
このような本発明のジャック端子拡隙工具（解決手段１）やそれを用いたジャック端子拡隙方法（解決手段３）にあっては、拡隙工具の作用部を絶縁カバーの貫通孔に解放開口から差し込むと、先ず、貫通孔の中のジャック端子において対向している一対の係合部の間に拡隙工具の作用部が入り込んで、係合部同士の対向間隙が広がって係合部が横へ逃げるので、拡隙工具を更に押し込むことができる。そこで、拡隙工具の作用部を孔奥へ向けて更に押し込むと、ジャック端子において対向している雄嵌合部と可撓部との間に拡隙工具の作用部が進入して、雄嵌合部と可撓部との対向間隙も広がることとなる。
【００１９】
しかも、その際、雄嵌合部が作用部の逃げ面に沿うのに対し可撓部が作用部の傾斜面に沿うため雄嵌合部と可撓部とが作用部を介して押し合うことになることと、雄嵌合部より可撓部の方が変形しやすいことから、雄嵌合部は変形しないが、可撓部は傾斜面に倣って曲がる。そのため、ジャック端子の可撓部の材料力学的特性に基づいて作用部の傾斜面の傾斜を適切に設定しておけば、拡隙工具を抜いた後でも可撓部には適度な塑性変形・永久変形が残り、それに応じて係合部同士の対向間隙も拡大したままとなる。また、ワンアクション即ち一回の操作で二個の可撓部を変形させることができるので、容易かつ迅速に、本発明のジャック板（解決手段４）が出来上がる。
【００２０】
さらに、その操作で広がった対向間隙がファストン端子の雌嵌合部の厚さより広く、且つ、横ずれした係合部の内側面が雄嵌合部の外側面から更に外へはみ出ている量がファストン端子の板材の厚さより狭い、という条件が満たされていれば、言い換えるとその条件が満たされるよう傾斜面の傾斜などを設定しておけば、本発明のジャック板（解決手段５）が出来上がる。そして、絶縁カバーの貫通孔の中でファストン端子の接続を行っても、ファストン端子の進入が妨げられることがなく、接続したファストン端子は単に引っ張られただけでは抜け落ちることのないようロック（鎖錠）されることとなる。
したがって、この発明によれば、絶縁カバーの貫通孔の中でファストン端子の進入を妨げないよう且つロック機能を失わない程度に貫通孔中のジャック端子について雄嵌合部の先方から係合部の位置をずらせることを簡便に行うことができる。
【００２１】
また、本発明のジャック端子拡隙工具（解決手段２）やそれを用いたジャック端子拡隙方法（解決手段３）にあっては、ジャック端子拡隙工具の作用部において逃げ面と傾斜面との外側部に側壁が形成されているため、ジャック端子拡隙工具の作用部を絶縁カバーの貫通孔に解放開口から差し込んだとき、ジャック端子の雄嵌合部と可撓部とが作用部の両側壁の間に収まり、それに随伴して作用部が案内・位置規制されるので、気軽にジャック端子拡隙工具を押し込んでも、雄嵌合部は逃げ面だけに沿い、可撓部は傾斜面だけに沿い、作用部が適切に進入する。
したがって、この発明によれば、絶縁カバーの貫通孔の中でファストン端子の進入を妨げないよう且つロック機能を失わない程度に貫通孔中のジャック端子について雄嵌合部の先方から係合部の位置をずらせることを簡便かつ的確に行うことができる。
【発明を実施するための最良の形態】
【００２２】
このような本発明のジャック端子拡隙工具およびジャック端子拡隙方法法について、これを実施するための具体的な形態を、以下の実施例１により説明する。
【実施例１】
【００２３】
本発明のジャック端子拡隙工具の一実施例について、その具体的な構成を、図面を引用して説明する。図１は、（ａ）がジャック端子拡隙工具５０の全体正面図とその右側面図と作用部５２の拡大正面図、（ｂ）が拡隙工具５０の全体底面図とその右端面図と作用部５２の拡大底面図、（ｃ）が作用部５２のＣＣ断面図、（ｄ）が作用部５２のＤＤ断面図である。
【００２４】
拡隙工具５０は、例えばステンレス等の硬い丸棒を加工して作られ、指先で摘んだときに滑らないよう外周面に例えばローレット加工を施した丸棒状の摘み部５１と、既述した絶縁カバー２３の貫通孔２４に遊挿しうるよう外周部分を切削して貫通孔２４より一回り細くした直棒状の作用部５２とを具えている。この例では、貫通孔２４の断面が長方形なので作用部５２の断面も例えば４ｍｍ×６ｍｍの長方形に近い形状になっており、作用部５２の断面は先端部と基部を除けば例えば全長３０ｍｍのほぼ全域に亘って一定であるが、作用部５２の例えば６ｍｍ長の先端部は、貫通孔２４の解放開口やジャック端子４０の対向間隙に差し込み易いよう、表裏面すなわち対向する二面が斜めに削られてテーパ状になっている。
【００２５】
さらに、そのような角棒状の作用部５２には、表裏面それぞれに、軸心と傾斜した例えば小型フライスでの彫り込み加工によって傾斜面５４とその外側部の側壁５３とが形成され、軸心と平行な例えば小型フライスでの彫り込み加工によって逃げ面５５とその外側部の側壁５６とが形成されている。逃げ面５５と側壁５６は作用部５２の先端から基部までほぼ全長に及んでいるが、傾斜面５４と側壁５３は作用部５２の先端部にだけ形成されている。作用部５２における表側の傾斜面５４及び逃げ面５５と裏側の傾斜面５４及び逃げ面５５は、ジャック端子４０において一対のジャック片３０が線対称状態で対向していることに対応して、軸心に関して線対称になるよう配置されているので、表側の傾斜面５４と裏側の逃げ面５５とが表裏で対向し、表側の逃げ面５５と裏側の傾斜面５４とが表裏で対向している。
【００２６】
作用部５２の最先端における表側の傾斜面５４と裏側の逃げ面５５との距離Ｈも表側の逃げ面５５と裏側の傾斜面５４との距離Ｈもジャック端子４０における係合部３３，３３同士の対向間隙Ｇより小さいので、作用部５２はジャック端子４０に容易に差し込めるものとなっている。また、作用部５２の最先端における表側の側壁５３と裏側の側壁５６との距離も表側の側壁５６と裏側の側壁５３との距離もジャック端子４０における係合部３３，３３同士の対向間隙Ｇより大きく、作用部５２の表裏面いずれにおいても側壁５３，５６の間の距離がジャック端子４０における雄嵌合部３１と可撓部３２との外幅より広いので、側壁５３，５６は挿入時の進行方向案内部材になっている。
【００２７】
さらに、逃げ面５５は、雄嵌合部３１より幅広で且つ長いので、貫通孔２４への作用部５２の挿入時にジャック端子４０の雄嵌合部３１を変形させることなく雄嵌合部３１に沿って滑動する面となっている。また、傾斜面５４は、貫通孔２４への作用部５２の挿入時にジャック端子４０の可撓部３２に沿って滑動しながら可撓部３２に対する押し量を増すので可撓部３２を曲げ変形させる面となっている。作用部５２の軸心に対する傾斜面５４の傾斜は、十数度ほどが差し込み容易で使いやすいがそれに限定されるものでなく、作用部５２の軸心に対する傾斜面５４の傾斜や作用部５２の表裏の厚みは、可撓部３２の形状に応じた剛性や材質に応じた弾性限などに基づき、拡隙後の即ち対向間隙を広げた後のジャック端子４０の係合部３３，３３同士の対向間隙Ｋがファストン端子１０の雌嵌合部１１の厚さＦより広くなるが、雄嵌合部３１の外側面から外へ向かった係合部３３の内側面のはみ出し量Ｊがファストン端子１０の板材の厚さＥより狭くなるように、決められている（図３（ｃ）参照）。
【００２８】
上述した拡隙工具５０の使用対象となる拡隙前のジャック板６０の具体的な構成を、図面を引用して説明する。図２は、（ａ）が絶縁カバー２３の左側面図と正面図、（ｂ）がジャック板本体６１の左側面図と正面図、（ｃ）がジャック板６０の左側面図と縦断正面図、（ｄ）がジャック端子４０の左側面図と正面図と底面図である。
拡隙前のジャック板６０は、端的に言えば、既述した従来のジャック板２０についてジャック端子２２をジャック端子４０で置き換えたものである。
【００２９】
すなわち、ジャック板６０はジャック板本体６１に対して絶縁カバー２３を装着したものであり、ジャック板本体６１は既述のベース板２１にジャック端子４０を複数植設したものであり、ジャック端子４０は既述のようにロック機能付きジャック片３０を所定間隙Ｇで対向配置したものであり、絶縁カバー２３は既述したようにジャック端子４０に対応した配置で複数・多数の貫通孔２４が形成されたものであり、ジャック板本体６１に絶縁カバー２３を装着したジャック板６０では、ジャック端子４０が一つずつ即ちジャック片３０が一対ずつ絶縁カバー２３の貫通孔２４に収まっている。
【００３０】
なお、ジャック片３０は、既述したように、ファストン端子１０の雌嵌合部１１に嵌合しうる雄嵌合部３１と、この雄嵌合部３１に沿って延びた可撓部３２と、この可撓部３２にて雄嵌合部３１の先方に支持されていて雌嵌合部１１と雄嵌合部３１との嵌合時には雌嵌合部１１の係合段差１３に係合してファストン端子１０の抜けを防止する係合部３３とを具備したものであり、ジャック端子４０には二個のジャック片３０が線対称状態で対向する配置で組み込まれている。拡隙前では、雄嵌合部３１も可撓部３２も係合部３３も、平板から打ち抜き等にて加工された真っ直ぐな状態のままであり、曲がっていない。
【００３１】
上述したジャック板６０に対し拡隙工具５０を用いて行う本発明のジャック端子拡隙方法と、それによって出来上がった拡隙後のジャック端子４０を備えたジャック板６０とを、図面を引用して説明する。図３は、（ａ）が拡隙工具５０とジャック端子４０の要部に係る正面図と底面図、（ｂ）も拡隙工具５０とジャック端子４０の要部に係る正面図と底面図、（ｃ）が拡隙後のジャック端子４０の左側面図と正面図と底面図である。
【００３２】
本発明のジャック端子拡隙方法は、ジャック板６０の絶縁カバー２３の貫通孔２４それぞれに一回ずつ拡隙工具５０の作用部５２を差し込んで抜き取るというものであり、その際、作用部５２の先端がジャック端子４０の連結部４１に当接して止まるまで作用部５２を十分に押し込むよう留意すれば良いので、容易に実施することができる。貫通孔２４の断面は大抵長方形になっており、作用部５２の断面形状がそれに対応しているので、作用部５２の向きを迷うおそれもない。
【００３３】
拡隙工具５０の作用部５２を絶縁カバー２３の貫通孔２４に解放開口から差し込むと、貫通孔２４に案内されてそこに進入した作用部５２の先端が貫通孔２４の中でジャック端子４０の先端と対峙するが（図３（ａ）参照）、作用部５２の先端の厚みＨがジャック端子４０の先端の間隙Ｇより小さいので、貫通孔２４の中のジャック端子４０において対向している一対の係合部３３，３３の間に拡隙工具５０の作用部５２が円滑に入り込んで、係合部３３，３３同士の対向間隙が広がって係合部３３，３３が横へ逃げるので、拡隙工具５０の作用部５２を更に押し込むことができる。
【００３４】
そこで、拡隙工具５０の作用部５２を孔奥へ向けて更に押し込み作用部５２の先端がジャック端子４０の連結部４１に当接して止まるまで押し込むと、ジャック端子４０において対向している表側の雄嵌合部３１と裏側の可撓部３２との間や裏側の雄嵌合部３１と表側の可撓部３２との間に拡隙工具５０の作用部５２が進入して、雄嵌合部３１と可撓部３２との対向間隙も広がる（図３（ｂ）参照）。しかも、そのとき、表側の雄嵌合部３１が作用部５２の表側の逃げ面５５に沿うのに対し裏側の可撓部３２が作用部５２の裏側の傾斜面５４に沿うため表側の雄嵌合部３１と裏側の可撓部３２とが作用部５２を介して押し合い、強い雄嵌合部３１は変形しないが、弱い可撓部３２は傾斜面５４に倣って曲がる。同時に、同様にして、裏側の雄嵌合部３１は変形しないで裏側の逃げ面５５に沿い、表側の可撓部３２は表側の傾斜面５４に倣って曲がる。
【００３５】
それから、拡隙工具５０の作用部５２を抜くと、残された貫通孔２４の中のジャック端子４０においては、ジャック端子４０の可撓部３２の材料力学的特性と作用部５２の傾斜面５４の形状とに応じた曲げ変形が残り続ける（図３（ｃ）参照）。そのため、拡隙後のジャック端子４０では、可撓部３２が曲げられたことにより係合部３３，３３同士の対向間隙Ｋが雄嵌合部３１，３１同士の対向間隙Ｇより広く、係合部３３，３３同士の対向間隙Ｋがファストン端子１０の雌嵌合部１１の厚さＦより広く、係合部３３の内側面が雄嵌合部３１の外側面から外へはみ出ている量Ｊがファストン端子１０の板材の厚さＥより狭くなっている。また、ジャック板６０は、そのような拡隙後のジャック端子４０を一つずつ絶縁カバー２３の貫通孔２４に収めているものとなっている。
【００３６】
本発明のジャック端子拡隙方法を実施した後に行うファストン端子装着方法を、図面を引用して説明する。図４は、（ａ）〜（ｅ）何れもファストン端子１０とジャック端子４０の底面図である。
【００３７】
ファストン端子１０の雌嵌合部１１を絶縁カバー２３の貫通孔２４に差し込むと、雌嵌合部１１の先端が貫通孔２４の中でジャック端子４０の先端と対峙する（図４（ａ）参照）。雌嵌合部１１の外寸が貫通孔２４の内寸より小さいので、雌嵌合部１１の進入状態によっては雌嵌合部１１の先端がジャック端子４０の係合部３３の先端に突き当たって止められることもあるが、雌嵌合部１１の厚さＦが拡隙後のジャック端子４０の先端の間隙Ｋより小さいので、ファストン端子１０を軽く揺すったりして雌嵌合部１１を横に（図では上下に）ずらすと簡単に、貫通孔２４の中のジャック端子４０において対向している一対の係合部３３，３３の間にファストン端子１０の雌嵌合部１１が入り込む。
【００３８】
そして（図４（ｂ）参照）、雄嵌合部３１，３１同士の対向間隙Ｇが雌嵌合部１１の厚さＦより狭いので、雌嵌合部１１の先端がジャック端子４０の雄嵌合部３１の先端に突き当たって止められる。そこで（図４（ｃ）参照）、ファストン端子１０を横に（図では上に）動かすと、雌嵌合部１１に押されて雌嵌合部１１と一緒に係合部３３も横にずれるので、ファストン端子１０の雌嵌合部１１の中空１２がジャック端子４０の雄嵌合部３１の先方に来たところで、更にファストン端子１０を押し込んでその雌嵌合部１１とジャック端子４０の雄嵌合部３１とを嵌合させる。
【００３９】
十分に嵌合すれば（図４（ｄ）参照）、係合部３３が雌嵌合部１１から外れて元の位置に戻る。そうすると、係合部３３の内側面が雄嵌合部３１の外側面から外へはみ出ている量Ｊがファストン端子１０の板材の厚さＥより狭くなっているため、係合部３３が係合段差１３に係合するので、ファストン端子１０がロックされ、ファストン端子１０を引っ張っただけでファストン端子１０がジャック端子４０から抜け落ちることは無くなる。
なお（図４（ｅ）参照）、ジャック端子４０にはもう一組の雄嵌合部３１及び係合部３３が軸心線対称位置に組み込まれているので、同様にしてもう一つのファストン端子１０を接続することができる。
【産業上の利用可能性】
【００４０】
本発明のジャック端子の拡隙工具および拡隙方法を適用するジャック端子を複数植設したジャック板としては、既述した鉄道用のロック機能付きＥ形ジャック板に限られるものでなく、ファストン端子接続側の要件さえ満たされれば、ファストン端子非接続は、リレー以外のものを装着するようになっていても良く、リレーといった他の部材や装置を装着するようになっていなくても良い。
【図面の簡単な説明】
【００４１】
【図１】本発明の実施例１について、ジャック端子拡隙工具の構造を示し、（ａ）が全体正面図と右側面図と作用部拡大正面図、（ｂ）が全体底面図と右端面図と作用部拡大底面図、（ｃ）が作用部のＣＣ断面図、（ｄ）が作用部のＤＤ断面図である。
【図２】本発明のジャック端子拡隙工具の使用対象となるジャック板の構造を示し、（ａ）が絶縁カバーの左側面図と正面図、（ｂ）がジャック板本体の左側面図と正面図、（ｃ）がジャック板の左側面図と縦断正面図、（ｄ）がジャック端子の左側面図と正面図と底面図である。
【図３】本発明のジャック端子拡隙方法を示し、（ａ）が拡隙工具とジャック端子の要部に係る正面図と底面図、（ｂ）も拡隙工具とジャック端子の要部に係る正面図と底面図、（ｃ）がジャック端子の左側面図と正面図と底面図である。
【図４】本発明のジャック端子拡隙方法実施後のファストン端子装着方法を示し、（ａ）〜（ｅ）何れもファストン端子とジャック端子の底面図である。
【図５】従来品を示し、（ａ）がファストン端子の底面図、（ｂ）がファストン端子の斜視図、（ｃ）がジャック端子の斜視図、（ｄ）がジャック板の展開斜視図、（ｅ）がジャック板の斜視図、（ｆ）がジャック片の正面図、（ｇ）がジャック端子の底面図、（ｈ）がジャック端子の底面図である。
【符号の説明】
【００４２】
８…電線、
１０…ファストン端子、１１…雌嵌合部（接続部）、
１２…中空、１３…係合段差（ロック部）、１４…圧着部、
２０…ジャック板、２１…ベース板、
２２…ジャック端子、２３…絶縁カバー、２４…貫通孔、
３０…ジャック片、３１…雄嵌合部（接続部）、
３２…可撓部（ロック部）、３３…係合部（ロック部）、
４０…ジャック端子、４１…連結部、４２…ジャック端子、
５０…拡隙工具、５１…摘み部、５２…作用部、
５３…側壁、５４…傾斜面、５５…逃げ面、５６…側壁、
６０…ジャック板、６１…ジャック板本体
【図１】
2010140645.tif 000003
【図２】
2010140645.tif 000004
【図３】
2010140645.tif 000005
【図４】
2010140645.tif 000006
【図５】
2010140645.tif 000007